(57)【要約】【課題】  従来の生け簀枠では、フレームとしての生け簀枠の下側に多数のフロートを取り付けるという構造であるため、海洋付着生物の除去作業に時間が掛かるという問題があった。【解決手段】  生け簀枠４は、夫々が上面に所定幅の平面４４を有した略円形の断面形状で、内部に浮き部と浮力調節部に区画された空間を有する部分枠Ａ４１、部分枠Ｂ４２および部分枠Ｃ４３とを、回廊状に接続することで一体の枠体にし、前記枠体の内側に吊り下げ具１４と上枠１５で網を吊り下げている。【選択図】図２
2013121319.tif 000002
【特許請求の範囲】
【請求項１】
上面に所定幅の平面を有した略円形の断面形状で、内部に浮き部と浮力調節部に区画された空間を有し、前記浮き部と前記浮力調整部とは回廊状に接続することで一体の枠体になり、前記枠体の内側に網を吊り下げる生け簀枠。
【請求項２】
前記一体の枠体は複数の金属製部分枠体に分割でき、前記複数の部分枠体の相互の断面側をフランジで接続することで一体の枠体となる請求項１記載の生け簀枠。
【請求項３】
前記一体の枠体の表面にはカバーが設けられている請求項１または請求項２記載の生け簀枠。
【請求項４】
前記浮き部の内部には発泡性樹脂が充填されている請求項２または請求項３記載の生け簀枠。
【発明の詳細な説明】
【技術分野】
【０００１】
本発明は、魚類、貝類、海草類等の水産物を一時的または比較的長期に生育させる目的で囲い込む生け簀の生け簀枠に関する。
【背景技術】
【０００２】
従来例としては、特許文献１に記載されたものがあり、メインフレームやガイドフレームを組み合わせて構成された生け簀枠に網をつり下げ、海面や湖面等の水面（以下、海面と略す。）に前記生け簀枠を浮かせるために、前記生け簀枠の下側に複数のフロートを設ける構造となっている。
【先行技術文献】
【特許文献】
【０００３】
【特許文献１】特開２００６−３４５７９２号公報
【発明の概要】
【発明が解決しようとする課題】
【０００４】
生け簀枠およびフロートを海面に設置した場合に、海面下に没する部分には牡蠣に代表される貝類、フジツボに代表される甲殻類、岩のりに代表される海草類（以下、海洋付着生物と略す。）が付着する。生け簀枠およびフロートに海洋付着生物が付着すると海洋付着生物分の重量が増加し、フロートの浮力では浮かび難くなるため、生け簀枠およびフロートを使用する漁業者は定期的に海洋付着生物の除去を行う必要がある。
【０００５】
特許文献１の細い金属パイプであるフレーム状の生け簀枠の下側に多数（特許文献１の図１によれば、１６個）のフロートを取り付けるという構造であるため、多数取り付けられている個々のフロートには、夫々下面や四方向の側面を有していることになるので、多数のフロートを合計した表面積も大きいものであった。そのため、この多数のフロートの海洋付着生物の除去作業も広い表面積に対して行う必要があった。また、細いフレームの海洋付着生物の除去作業まで考慮するとさらに広い範囲で、複雑な海洋付着生物の除去作業が必要であるという問題があった。
【０００６】
また、生け簀枠および複数のフロートに分かれるため、吊り下げた生け簀の重量を支えて海面上に浮かび、同時に自然条件によって発生する波浪に耐える等の条件に適合するように組立てることは、熟練した技術や、その技術を習熟するための時間が必要であり、未熟な作業者にとっては難しいという問題があった。
【０００７】
さらには、生け簀枠は、使用する材料によっても異なるが、網の重量を支えて海面上に浮かび波浪に耐える強度を有した材料とする場合には全体的な重量も重くなり、それに伴ってフロートの数を増やす必要があるという問題があった。
【課題を解決するための手段】
【０００８】
上記の課題を解決するため、本発明では、次の技術的手段を講じている。
【０００９】
第１発明の生け簀枠は、上面に所定幅の平面を有した略円形の断面形状で、内部に浮き部と浮力調節部に区画された空間を有し、前記浮き部と前記浮力調整部とは回廊状に接続することで一体の枠体になり、前記枠体の内側に網を吊り下げている。
【００１０】
第２発明の生け簀枠は、第１発明において、前記一体の枠体は複数の金属製部分枠体に分割でき、前記部分枠体の相互の断面側をフランジで接続することで一体の枠体となっている。
【００１１】
第３発明の生け簀枠は、第１発明または第２発明において、前記一体の枠体の表面にはカバーが設けられている。
【００１２】
第４発明の生け簀枠は、第２発明または第３発明において、前記浮き部の内部には発泡性樹脂が充填されている。
【発明の効果】
【００１３】
以上のような、技術的手段を有することにより、以下の効果を有する。
【００１４】
第１発明によれば、上面に所定幅の平面を有した略円形の断面形状で、内部に浮き部と浮力調節部に区画された空間を有し、前記浮き部と前記浮力調整部とは回廊状に接続することで一体の枠体になり、前記枠体の内側に網を吊り下げている構造なので、生け簀枠自体がフロートを兼ねる構造となり、簡単な構造になる。そのため、海洋付着生物の除去作業も簡単になる。
【００１５】
また、従来例のフロートと同一の直径とした場合には、生け簀枠自体がフロートを兼ねているので、個々のフロートを隙間なく接続したものと同一の体積になり、フロートとしての体積を増加させることが可能であり、結果、全体的な浮力を増大させることができる。
【００１６】
同時に、断面が円形に近いので、同一の幅の材料を使用する場合には内容積を最大近くにすることが可能であり、内容積が最大近くになれば、それに伴い浮力も最大近くになる。
【００１７】
また、生け簀枠体がフロートを兼ねて構造が簡単になることで、部品も少ないので組立が容易となり、同一の浮力を得るための材料も低減でき、結果工数および材料費の低減が可能となる。
【００１８】
第２発明によれば、第１発明を利用し、前記一体の枠体は複数の金属製部分枠体に分割でき、前記部分枠体の相互の断面側をフランジで接続することで一体となることで、熟練者でなくても生け簀枠の組立および分解が容易であり、枠体としての強度も確保することができる。
【００１９】
第３発明によれば、第１発明または第２発明を利用し、前記一体の枠体の表面にはカバーが設けられていることで、海洋付着生物はカバーに付着することになり、海洋付着生物を除去する場合にカバーを取り外せば同時に海洋付着生物も除去できるので、海洋付着生物の除去が簡単に行える。
【００２０】
第４発明によれば、第２発明または第３発明を利用し、前記浮き部の内部には発泡性樹脂が充填されているので、浮き部の外壁が腐食や破損した場合でも、生け簀枠は浮力を失い難くなり、生け簀枠を長期に使用することが可能となる。
【図面の簡単な説明】
【００２１】
【図１】本発明の実施例１に係る生け簀枠の全体構成の概要図である。
【図２】本発明の実施例１に係る生け簀枠の平面図（ａ）と正面図（ｂ）である。
【図３】本発明の実施例１に係る生け簀枠のＡ−Ａ断面図である。
【図４】本発明の実施例１に係る生け簀枠のＢ−Ｂ断面図である。
【図５】本発明の実施例２に係る生け簀枠の平面図（ａ）と正面図（ｂ）である。
【図６】本発明の実施例２に係る生け簀枠のＣ−Ｃ断面図である。
【図７】本発明の実施例３に係る生け簀枠の部分枠Ａ４１についての説明図である。
【図８】本発明の実施例３に係る生け簀枠の部分枠Ｂ４２についての説明図である。
【図９】本発明の実施例３に係る生け簀枠の部分枠Ｃ４３についての説明図である。
【発明を実施するための形態】
【００２２】
発明を実施する形態について、図面に基づいて具体的に説明する。
【実施例１】
【００２３】
本発明の生け簀の全体的な構成について図１を用いて説明する。生け簀１は、生け簀枠４、網７からなる。生け簀枠４の各部には後述するフランジ１２が設けられており、生け簀枠４の上面側にはアーム状の吊り下げ具１４が所定の間隔で取り付けられている。吊り下げ具１４の上端には、上枠１５が取り付けられており、上枠１５は、吊り下げ具１４を介して生け簀枠４に保持されている。上枠１５には、網７が結束されており、これにより、網７は生け簀枠４に吊り下げられている。
【００２４】
網７については、養殖される魚種や、その養殖期間を考慮し、交換や補修等の費用対効果を考えた、合成樹脂製や金属製等の底のある四角の箱状の網である。なお、図示して説明はしてないが、網７の底部には四角の枠が設けられ、四角の枠にロープまたは鎖を介して結ばれた錘または錨が取り付けられている。これにより、底のある四角の箱状の網は海面下において広げられた状態となって設置される。
【００２５】
生け簀枠４について図２を用いて説明する。生け簀枠４は、部分枠Ａ４１、部分枠Ｂ４２および部分枠Ｃ４３を一組としてこの組み合わせを、４組集めたものが接続された状態で構成されている。部分枠Ａ４１は、略Ｌ字形状で両端にフランジ１２が接続されており、その上部に吊り下げ具１４が２個取り付けられている。部分枠Ｂ４２は、略Ｉ字状で両端にフランジ１２が接続されており、その上部に吊り下げ具１４が２個取り付けられている。部分枠Ｃ４３は略Ｉ字状で両端にフランジ１２が接続されており、その上部に吊り下げ具１４が１個取り付けられている。
【００２６】
部分枠Ａ４１、部分枠Ｂ４２および部分枠Ｃ４３の夫々に有するフランジ１２を接続することで全体の形状が平面視方形の回廊状の生け簀枠４が形成される。また、複数の吊り下げ具１４の先端には、上枠１５が取り付けられている。また、部分枠Ａ４１、部分枠Ｂ４２および部分枠Ｃ４３の上面側には所定の幅の平面部４４を有している。所定の幅の平面部４４を設ける目的は、生け簀枠４を海面に浮かんだ状態に設置した場合に、漁業者等の作業従事者が生け簀枠４に移乗して安定した状態で作業できるようにするためである。そのため、平面部４４の所定の幅とは、部分枠Ａ４１、部分枠Ｂ４２および部分枠Ｃ４３の径によっても異なるが、人が足を載せて安定する程度の幅である。なお、部分枠Ｃ４３の平面部４４には後で説明するバルブ４５が取り付けられている。
【００２７】
生け簀枠４の内部の構造について、図３および図４を用いて説明する。図３は、図２（ａ）におけるＡ−Ａ部の断面図である。よって、部分枠Ｃ４３の断面を説明したものとなるが、断面形状については、部分枠Ａ４１および部分枠Ｂ４２の各部においても部材の配置の違いはあるが基本的には同様での形状となる。部分枠Ｃ４３は、平板である鋼板を円筒形にロール加工し、完全に円筒形となる前にロール加工を止めて、部分枠Ｃ４３の上面側に平面部４４が残るようにし、円形に近い断面略Ｄ状の円筒になるように溶接したものである。なお、平面部４４を設ける理由は前述のように人が足を載せるための足場であるので、平面部４４が残るロール加工ではなく、平面部を残さない円筒にロール加工し、後で円筒の上面に足場用の平板を溶接などで取り付ける方法にしても良い。
【００２８】
この断面略Ｄ状とする円筒の両端にフランジ１２を溶接し、上部に吊り下げ具１４を溶接することで部分枠Ｃ４３は完成する。なお、鋼板とは圧延鋼板やステンレス鋼板のことであり、生け簀枠４の大きさや部分枠Ａ４１等の断面略Ｄ状の円筒の径によって必要となる強度に合わせて適切な板厚を選定する。なお、海水に耐食性を有さない材料を選定する場合は、材料の表面にメッキや塗装を施している。平面部４４の上部には吊り下げ具１４が取り付けられており、吊り下げ具１４の上端には、上枠１５を取り付けるための孔１４ａが設けられている。
【００２９】
フランジ１２は、生け簀枠４の全体の強度に耐えうる厚さの環状の板である。フランジ１２の環状の板の略中央部を通る円で結ばれる線上には等間隔に複数の孔が開けてあり、２枚の対面するフランジ１２夫々の複数の孔を合わせてこれにボルトを通しナット１３で締め付けることで、対面する２枚のフランジ１２が接合できる。なお、フランジ１２に開けられた孔の径と孔の個数、これに関連するボルトやナット１３の径や個数については、生け簀枠４全体の強度に合わせて適切に選定する。また、２枚の対面するフランジ１２の間には弾力性を有し、同時に気密性や耐久性を有する、合成ゴム、合成樹脂または天然素材の所定の厚みのパッキンが装入されている。フランジ１２を介して部分枠Ａ４１、部分枠Ｂ４２および部分枠Ｃ４３が接続されることにより部分枠Ａ４１、部分枠Ｂ４２および部分枠Ｃ４３により区画される内部の空間も繋がった状態となっている。
【００３０】
部分枠Ｃ４３の平面部２２の一カ所には、部分枠Ｃ４３の内部の空間と連通し開閉自在のバルブ４５が取り付けられており、底には部分枠Ｃ４３の周囲の海水８が出入りする孔４６が設けられている。バルブ４５を開けることにより、部分枠Ｃ４３内部の空気９は部分枠Ｃ４３の外部に排出され、それに伴って部分枠Ｃ４３の内部に孔４６から海水８が流入する。なお、部分枠Ａ４１および部分枠Ｂ４２には、バルブ４５および孔４６は設けられてない。バルブ４５の一端は部分枠Ｃ４３と連接しているが、他端はネジまたは迅速継手等が設けられており、容易にエアーホースや配管等に接続することができる。また、部分枠Ｃ４３にバルブ４５および孔４６が設けられている理由は、後述する浮力調整部２２として部分枠Ｃ４３が使用されるためである。
【００３１】
図４は図２のＢ−Ｂ断面図であり、生け簀枠４の平面図での内部の構成を説明している。部分枠Ａ４１と部分枠Ｂ４２の筒状の内部には、部分枠Ａ４１と部分枠Ｂ４２の内部の空間を仕切るに隔壁１６が溶接してある。この隔壁１６が存在することにより、部分枠Ａ４１、部分枠Ｂ４２および部分枠Ｃ４３がフランジ１２で接続されて回廊状の生け簀枠４に構成された場合には、生け簀枠４の内部は８区画の室に仕切られることになる。そして、部分枠Ａ４１と部分枠Ｂ４２とが連結された略Ｌ字状の空間が、浮き部２１となる。また、部分枠Ｃ４３の両端に、部分枠Ａ４１と部分枠Ｂ４２が連結された略Ｉ字状の空間が、浮力調節部２２となる。
【００３２】
浮き部２１は、部分枠Ａ４１と部分枠Ｂ４２の断面略Ｄ状の円筒の外壁を有し（図３参照）、フランジ１２および隔壁１６を備えることで気密性を保てる空気室となるように製作されている。よって海面上における浮き部２１は、網７を保持するための強度を有した生け簀枠４の枠体の一部としての機能を有すると同時に、海面上に浮かぶための浮き（フロート）としての機能も有する。
【００３３】
浮力調整部２２は、部分枠Ａ４１、部分枠Ｂ４２および部分枠Ｃ４３の断面略Ｄ状の円筒の外壁を有し（図３参照）、フランジ１２および隔壁１６により完全に気密性を保てる空間となるように製作されており、浮力調整部２２を構成する部分枠Ｃ４３の上部にバルブ４５と下部に孔４６が設けられている（図３参照）。よって海面上における浮力調整部２２は、網７を保持するための強度を有した生け簀枠４の枠体の一部としての機能をすると同時に、バルブ４５を閉じている場合は、海面上に浮かぶための浮きとしての機能も有する。
【００３４】
また、浮力調整部２２は、孔４６の上部にあるバルブ４５（図３参照）を開けて浮力調整部２２の内部の空気９を抜くことで、孔４６から浮力調整部２２の内部に海水８を入れることができる。さらには、バルブ４５にコンプレッサー（高圧空気を送出することが可能なポンプ）に連接するエアーホースを接続し、バルブ４５を開けて高圧の空気を浮力調整部２２の内部に押し込むことで、内部の海水８を浮力調整部２２の下部の孔４６から排出することができる。これにより４カ所の浮力調整部２２は、生け簀枠４の浮力を調整するためのバラストタンクとしての機能を有すると同時に、４カ所の浮力調整部２２の内部に流入させた海水８の量を多くして、生け簀１全体の重量を４カ所の浮き部２１の浮力よりも大きくするようにすれば、生け簀１を海面下へ水没させることができるので、４カ所の浮力調整部２２を浮沈タンクとしての機能も発揮させることもできる。
【００３５】
なお、生け簀枠４の方形状の構成における４カ所の浮き部２１の配置は、生け簀枠４の平面視の中心点を中心として点対称の位置となる。同様に４カ所の浮力調整部２２の配置も、生け簀枠４の平面視の中心点を中心として点対称の位置となる。この４カ所の浮き部２１と４カ所の浮力調整部２２が点対称に配置されていることで、生け簀枠４を海面上に浮かべた場合の生け簀枠４の全体のバランスを４カ所の浮力調整部２２の海水量を加減することで容易に行える。
【実施例２】
【００３６】
本発明の生け簀は実施例１の網７が方形の箱状であるところ、実施例２においては、生け簀枠５は底のある円筒状の網を吊り下げるための構成である。底のある円筒状の網については実施例１の網７と形状が異なるだけでその他は同一であるので説明を省略する。また、フランジ１２および吊り下げ具１４についても同一であるので同一の符号を付けて説明を省略する。
【００３７】
生け簀枠５について図５の平面図（ａ）および正面図（ｂ）を用いて説明する。生け簀枠５は、部分枠Ａ５１、部分枠Ｂ５２および部分枠Ｃ５３を組み合わせに構成されている。部分枠Ａ５１、部分枠Ｂ５２および部分枠Ｃ５３は、略「く」の字状で各々両端にフランジ１２が接続されており、その上部に各々吊り下げ具１４が１個取り付けられており、外観においてはほとんど同一の形状となるが、内部に隔壁１６を備えるか否か、および隔壁１６が取り付けられている場合は隔壁１６の取り付け位置が異なっている。
【００３８】
部分枠Ａ５１と部分枠Ｂ５２は各４個、部分枠Ｃ５３は８個を、部分枠Ａ５１、部分枠Ｂ５２および部分枠Ｃ５３の夫々に有するフランジ１２どうしを接続することで全体の形状が１６角形の回廊状の生け簀枠５が形成される。複数の吊り下げ具１４の先端には、上枠１５ａが取り付けられている。また、部分枠Ａ５１、部分枠Ｂ５２および部分枠Ｃ５３の上面側には所定の幅の平面部４４を有している。所定の幅の平面部４４を設ける目的は、生け簀枠５を海面に浮かばせた状態で、生け簀枠５に移乗して安定した状態で作業できるようにするためである。そのため、平面部４４の所定の幅とは、部分枠Ａ５１、部分枠Ｂ５２および部分枠Ｃ５３の径によっても異なるが、人が足を載せて安定する程度の幅である。
【００３９】
部分枠Ａ５１、部分枠Ｂ５２および部分枠Ｃ５３の断面形状については、部材の配置の違いはあるが基本的には実施例１の図３と同様であるので説明を省略する。なお、２個連続して接続する部分枠Ｃ５３のどちらかの一方の上面には実施例１と同様のバルブ４５が取り付けられており、部分枠Ｃ５３のどちらかの一方の底には海水８が出入りするための孔４６が設けられている（図３参照）。部分枠Ａ５１および部分枠Ｂ５２には、バルブ４５および孔４６は設けられてない。
【００４０】
図６は図５のＣ−Ｃ断面図で、生け簀枠５の平面図における内部の構成を説明している。部分枠Ａ５１は、隔壁１６が内部の空間を偏った容量になる様に分断しており、部分枠Ｂ５２は、隔壁１６が内部の空間をほぼ等しい容量になるように分断しており、部分枠Ｃ５３には隔壁１６は設けられてない。部分枠Ａ５１と部分枠Ｂ５２には内部の空間を仕切るに隔壁１６が溶接してあるので、部分枠Ａ５１、部分枠Ｂ５２および部分枠Ｃ５３がフランジ１２で接続された生け簀枠５は複数の空間に仕切られることになる。そして、部分枠Ａ５１と部分枠Ｂ５２とが連結された略弓状の空間が、浮き部２１ａとなる。また、部分枠Ｃ５３が２個連結された状態の、一端に部分枠Ａ５１が、他端に部分枠Ｂ５２が連結された略弓状の空間が浮力調節部２２ａとなる。
【００４１】
浮き部２１ａは、部分枠Ａ５１と部分枠Ｂ５２の断面略Ｄ状の円筒の外壁を有し（図３参照）、フランジ１２および隔壁１６を備えることで気密性を保てる空気室となるように製作されている。よって海面上における４カ所の浮き部２１ａは、底のある円筒状の網を保持するための強度を有した生け簀枠５の枠体の一部としての機能を有すると同時に、海面上に浮かぶための浮き（フロート）としての機能も有する。
【００４２】
浮力調整部２２ａは、部分枠Ａ５１、部分枠Ｂ５２および部分枠Ｃ５３の断面略Ｄ状の円筒の外壁を有し（図３参照）、フランジ１２および隔壁１６により完全に気密性を保てる空間となるように製作されており、浮力調整部２２を構成する部分枠Ｃ５３の一方の上部にバルブ４５と、部分枠Ｃ５３の一方の下部に孔４６が設けられている（図３参照）。よって海面上における４カ所の浮力調整部２２ａは、底のある円筒状の網を保持するための強度を有した生け簀枠５の枠体の一部としての機能をすると同時に、バルブ４５を閉じている場合は、海面上に浮かぶための浮きとしての機能も有する。
【００４３】
また、浮力調整部２２ａは、孔４６の上部にあるバルブ４５（図３参照）を開けて浮力調整部２２ａの内部の空気９を抜くことで、孔４６から浮力調整部２２ａの内部に海水８を入れることができる。さらには、バルブ４５にコンプレッサーに連接するエアーホースを接続し、バルブ４５を開けて高圧の空気を浮力調整部２２ａの内部に押し込むことで、内部の海水８を浮力調整部２２ａの下部の孔４６から排出することができる。これにより４カ所の浮力調整部２２ａは、生け簀枠５の浮力を調整するためのバラストタンクとしての機能を有すると同時に、４カ所の浮力調整部２２ａの内部に流入させた海水８の量を多くして、生け簀枠５および底のある円筒状の網からなる生け簀全体の重量を４カ所の浮き部２１ａの浮力よりも大きくするようにすれば、生け簀枠５および底のある円筒状の網からなる生け簀全体を海面下へ水没させることができるので、４カ所の浮力調整部２２ａを浮沈タンクとしての機能も発揮させることもできる。
【００４４】
なお、生け簀枠５の１６角形の回廊状の構成における４カ所の浮き部２１ａの配置は、生け簀枠５の平面視の中心点を中心として点対称の位置となる。同様に４カ所の浮力調整部２２ａの配置も、生け簀枠４の平面視の中心点を中心として点対称の位置となる。この浮き部２１ａと浮力調整部２２ａを点対称に配置されていることで、生け簀枠５を海面上に浮かべた場合の生け簀枠５の全体のバランスを浮力調整部２２ａの海水量を加減することで容易に行える。
【実施例３】
【００４５】
実施例３は、実施例１の生け簀枠４にカバーを取り付け、浮き部２１の内部に発泡性樹脂を充填させる場合であり、その他の部分については実施例１と同様であるので、同一の符号を付けて説明を省略する。
【００４６】
実施例１の生け簀枠４の部分枠Ａ４１にカバー３１を取り付け、発泡性樹脂３６、３７を充填させる場合を、図７を用いて説明する。部分枠Ａ４１にはカバー３１が部分枠Ａ４１の下部から上部方向に向かって、部分枠Ａ４１の外表面を覆うように被せられている。カバー３１は、部分枠Ａ４１の伸ばした場合の全長に合せた長さで、部分枠Ａ４１の円筒の周長から平面部４４の幅の長さを引いた略長方形の大きさである。カバー３１の材質は、ポリエチレンやポリプロピレン等の合成樹脂を所定の厚みを有するシート状にしたものであり、カバー３１の強度を増すために、合成繊維や天然繊維の補強材を内包させる場合もある。
【００４７】
カバー３１で部分枠Ａ４１を覆う目的は、部分枠Ａ４１の海水に接する面に発生する海洋付着生物が、部分枠Ａ４１に直接付着することを防止するためである。カバー３１の材質、厚み補強材の有無等の耐用期間に関する部分については、カバー３１を補修の際に交換することを前提とすれば、生け簀枠４の補修頻度に合せて、例えば２年に一回補修するものであれば、２年間の海洋上での使用に耐える材質、厚み補強材の有無を選択すれば良い。
【００４８】
なお、カバー３１については、部分枠Ａ４１の平面部４４は覆わないものとして説明している。これは、平面部４４が常時海面上にある場合が多く、平面部４４には比較的海洋付着生物が付着し難いこと、平面部４４に作業者等が載るためカバー３１が有るとすべりやすくなること等の理由である。もちろん、作業等に支障がない場合には、平面部４４もカバー３１で覆う方が良い。また、フランジ部１２についても覆う方が好ましいが、その場合は、部分枠Ａ４１の単体ではなく。部分枠Ａ４１、部分枠Ｂ４２および部分枠Ｃ４３を組み立てて生け簀枠４にした後に、フランジ部１２に別にカバーを取り付けることになる。
【００４９】
カバー３１を部分枠Ａ４１の表面に保持させるための手段として、複数の結束具３２が部分枠Ａ４１の長手方向に直角に巻きつけられている。結束具３２は合成樹脂や天然素材のヒモの端を、単に結ぶ、熱により溶着する、または紐止め金具をカシメル等により結束する、好ましくはナイロンやポリプロピレン製で一端にロック機構の付いた結束バンドを用いて結束する方が作業性は向上する。なお、カバー３１を密着させる他の手段としては、シリコンシール材等の脱着が容易な接着剤を用いて部分枠Ａ４１の表面に直接貼り付けても良い。さらに、付け加えるならば、カバー３１と同様の効果を持たせる方法として、液状で、部分枠Ａ４１の外表面に噴霧または刷毛塗等の塗布を行った後、所定時間の経過のより所定の厚みの塗膜となり、塗膜自体が一定の強度を有することにより、塗膜のはく奪が容易な液体の合成樹脂や塗料を用いる方法でも良い。
【００５０】
発泡性樹脂３６、３７とは、部分枠Ａ４１の内部の空間に収まる体積を有した、発泡性樹脂を独立発泡させたものである。発泡性樹脂３６、３７は、部分枠Ａ４１の右側（図７で図示する右側）の開口部から、発泡性樹脂３６、発泡性樹脂３７の順に部分枠Ａ４１の内部に挿入することで、部分枠Ａ４１の内部に発泡性樹脂３６、３７が充填される。なお、発泡性樹脂３６は、部分枠Ａ４１の内部に隔壁１６まで押し込まれた状態で充填され、発泡性樹脂３７は、発泡性樹脂３６の取り付けられたところまで押し込まれた状態で充填される。
【００５１】
発泡性樹脂とは、例えば、ポリウレタン、ポリスチレン、ポリエチレン、ポリプロピレン等の合成樹脂を独立発泡させたもので、比重が０．１〜０．３程度になり、単体でも大きな浮力が有するように発泡倍率を調整されたものである。発泡性樹脂３６は、例えば前記のポリエチレンを発泡させた、所謂発泡スチロールの粒や塊等の適当な大きさの集合体を部分枠Ａ４１の内部に入れる場合の例である。また、発泡性樹脂３７については、部分枠Ａ４１の内部の空間に合せた大きさに発泡スチロールを外部で成型して入れる場合の例を示している。発泡性樹脂３６、３７を取り付けるためのその他の例としては、液状のポリエチレン等の合成樹脂を部分枠Ａ４１の内部で独立発泡させてそのまま成型するという方法でも実施可能である。
【００５２】
図８は部分枠Ｂ４２にカバー３１を複数の結束具３２で取り付け、部分枠Ｂ４２の内部に発泡性樹脂３８を取り付ける場合であり、図９は部分枠Ｃ４３にカバー３１を取り付けた場合を説明している。カバー３１、結束具３２については、部分枠Ａ４１と同一の内容であるので説明を省略する。発泡性樹脂３８については、発泡性樹脂３６、３７と形状が異なるだけであるので説明を省略する。また、実施例２の１６角形の生け簀枠５にカバーと発泡性樹脂を取り付ける場合も実施例１にカバーと発泡性樹脂を取り付ける場合と同様であるので、説明を省略する。
【００５３】
以上、本発明について、実施例に基づき説明してきたが、本発明は何らこれらの実施例の構成に限定するものではない。例えば、生け簀枠４および生け簀枠５を構成する部分枠に分割する個数についても、生け簀枠４、５の全体大きさに合せて多くしたり少なくしたりすることで実施可能である。また、隔壁１６の取り付け位置および個数により変化する４カ所の浮き部２１、２１ａと４カ所の浮力調整部２２、２２ａの関係についても、生け簀枠４、生け簀枠５およびこれに吊り下げる網の全体の重量と、生け簀枠４または生け簀枠５の有する浮力の関係により、浮き部２１、２１ａと浮力調整部２２、２２ａを４か所以上に多くすることや、浮き部２１、２１ａまたは浮力調整部２２、２２ａの一方だけを多くすることも可能である。さらには、生け簀枠の平面視の形状についても、生け簀枠４の方形や生け簀枠５の１６角形に限定されるものではなく、例えば六角形や八角形に部分枠を接続して生け簀枠を形成し、実施することも可能である。
【符号の説明】
【００５４】
１：生け簀
４、５：生け簀枠
７：網
８：海水
９：空気 
１２：フランジ
１３：ナット 
１４：吊り下げ具 
１５：上枠
１６：隔壁
２１、２１ａ：浮き部
２２、２２ａ：浮力調節部
３１：カバー
３２：結束具
３６、３７、３８：発泡性樹脂
４１、５１：部分枠Ａ
４２、５２：部分枠Ｂ
４３、５３：部分枠Ａ
４４：平面部
４５：バルブ
４６：孔
【図１】
2013121319.tif 000003
【図２】
2013121319.tif 000004
【図３】
2013121319.tif 000005
【図４】
2013121319.tif 000006
【図５】
2013121319.tif 000007
【図６】
2013121319.tif 000008
【図７】
2013121319.tif 000009
【図８】
2013121319.tif 000010
【図９】
2013121319.tif 000011